(57)【要約】【課題】レンズ鏡胴の小型化を図りつつも、簡素な金型で成形でき、高い外観品質を備えた外筒部材を有する優れたズームレンズ鏡胴及びそれを用いた撮像装置を提供する。【解決手段】キー溝である６本の直線溝１０４ａは、直線部１０４ｅと、直進筒１０４の端部に露出した幅広部１０４ｆとを有する。幅広部１０４ｆには、カムフォロワ１０４ｂの挿入端を挿入するための貫通孔１０４ｇが形成されている。従って、直進筒１０４は６分割された内スライド型を用いて成形することができる。【選択図】図５
2016133580.tif 000002
【特許請求の範囲】
【請求項１】
内周面に、キー溝を形成すると共に、カムピンを配置した外筒部材と、
前記外筒部材に内包され、前記カムピンが係合するカム溝を設けたカム筒部材と、
前記外筒部材に内包され、前記キー溝に係合する突出部を形成した内筒部材と、を有するズームレンズ鏡胴であって、
前記キー溝内に前記カムピンを挿入する孔を形成しており、前記突出部は、前記外筒部材と前記内筒部材との組み付け時に、前記孔に挿入された前記カムピンが通過して前記キー溝に係合可能となるような切欠を有していることを特徴とするズームレンズ鏡胴。
【請求項２】
内周面に、キー溝を形成すると共に、カムピンを配置した外筒部材と、
前記外筒部材に内包され、前記カムピンが係合するカム溝を設けたカム筒部材と、
前記外筒部材に内包され、前記キー溝に係合する突出部を形成した内筒部材と、を有するズームレンズ鏡胴であって、
前記キー溝は、前記カムピンを挿入する孔と、前記外筒部材と前記内筒部材との組み付け時に、前記突出部が、前記孔に挿入された前記カムピンを回避して前記キー溝内に進入可能となっている回避部とを形成したことを特徴とするズームレンズ鏡胴。
【請求項３】
請求項１又は２に記載のズームレンズ鏡胴を有することを特徴とする撮像装置。
【発明の詳細な説明】
【技術分野】
【０００１】
本発明は、ズームレンズ鏡胴及び撮像装置に関する。
【背景技術】
【０００２】
あるタイプのズームレンズ鏡胴においては、カム筒の外側に、最も物体側に位置するレンズ群を保持する前筒が配置されており、前筒の内周に設けた３本のカムピンが、カム筒の外周に形成されたカム溝に係合している。更にカム筒の内側に配置された内固定筒のキーが、カム筒の端部でカム筒をまたぐように延在し、その先端が前筒の内周に形成された直進キー溝に係合している。内固定筒に対してカム筒が回転した時に、キーと直進キー溝の係合によって、内固定筒に対する前筒の回転が阻止され、且つ回転するカム溝によりカムピンが付勢されることで、前筒は光軸方向に移動するようになっている。直進キーを前筒の内側に設ける事で、前筒の外側に設けた場合に比べ、前筒の外側にある外固定筒をキーが掛かる部分まで延長する必要が無くなり、小型化が可能になるというメリットがある。
【０００３】
ここで、特許文献１に示すレンズ鏡胴においては、直進案内筒（９）の被写体側に設けられたキーリング（１２）に、周方向に等間隔で３つのキー（１２ａ）が径方向外側に突出して形成され、これが第１鏡筒（１）の周壁部の内周面における周方向３箇所に形成された不図示の直進溝部(キー溝)に係合しており、第１鏡筒（１）を光軸方向にガイドするようになっている。一方、第１鏡筒（１）の内周面の後端における周方向６箇所（６０°等間隔位置）にはカムフォロアとしてのカムピン（１ａ）が設けられている。各カムピン（１ａ）は、駆動カム環（７）の外周面に形成された各カム溝部（２１）に係合している。ここでは組み付ける際に、カムピン（１ａ）とキー(１２ａ)とが干渉しないように、カムピンとキー溝とを光軸回りに異なる位置に配置している。しかしながら、このような構成であると、第１鏡筒を成形するスライド金型の構成が複雑になるという問題がある。
【先行技術文献】
【特許文献】
【０００４】
【特許文献１】特開２０１１−２４２６８３号公報
【発明の概要】
【発明が解決しようとする課題】
【０００５】
より具体的に従来技術の問題点を説明する。特許文献１の第１鏡筒のように、３つのキー溝を内側に形成すると，六方以上の型割数が必要となり金型構成が複雑になり成形が困難となる。更に、カムピンをすべて別体とし後から組み込む構成とした場合は，キー溝に加えてカムピンの挿入穴が必要になる。その場合，第１鏡筒のキー溝は内スライド型で形成して，カムピンの挿入穴は外スライド型で形成することは可能である。しかし，第１鏡筒は，ズーム動作時に露出する外観部品のため，外スライド型の分割数を増やすと，ユーザーの目に触れる金型の割線も増えることになるので、外観品質上好ましくない。これに対し、カムピンの挿入穴だけ部分的に内スライド型で形成して、キー溝は固定と可動による通常の金型で構成することもできるが、かかる場合、キー溝に抜きテーパが必要となり、第１鏡筒を駆動カム環に嵌合させる時にガタが生じてしまい、光学性能に影響が出る恐れがある。尚、特許文献１では、カムピンを別体とする代わりに一体成形しても良いという示唆はされてはいるものの，その場合にも光軸方向に前後する通常の金型を用いることでキー溝がテーパになってしまうという問題は残る。
【０００６】
本発明は、上述の課題を解決することを目的としたものであり、レンズ鏡胴の小型化を図りつつも、簡素な金型で成形でき、高い外観品質を備えた外筒部材を有する優れたズームレンズ鏡胴及びそれを用いた撮像装置を提供することを目的とする。
【課題を解決するための手段】
【０００７】
請求項１に記載のズームレンズ鏡胴は、
内周面に、キー溝を形成すると共に、カムピンを配置した外筒部材と、
前記外筒部材に内包され、前記カムピンが係合するカム溝を設けたカム筒部材と、
前記外筒部材に内包され、前記キー溝に係合する突出部を形成した内筒部材と、を有するズームレンズ鏡胴であって、
前記キー溝内に前記カムピンを挿入する孔を形成しており、前記突出部は、前記外筒部材と前記内筒部材との組み付け時に、前記孔に挿入された前記カムピンが通過して前記キー溝に係合可能となるような切欠を有していることを特徴とする。
【０００８】
ここで、前記外筒部材の成形における課題について説明する。図１は、外筒部材ＯＴを成形する金型の断面図である。外筒部材ＯＴは、その内周に、６本の直線的なキー溝ＫＧと、６つのカムピンＰＮを挿入する孔ＨＬとをそれぞれ等配して、成形により形成されるものとする。カムピンを６本とする理由は、カム筒部材の回転駆動用の３本のカムピンに加え、通常はカム溝に接していないが、衝撃付与時にカム溝に接して衝撃を吸収する為の３本のカムピンが必要だからである。衝撃吸収用のカム溝は、対応するカムピンとの間に隙間を設けて過拘束となることを防ぐようになっている。キー溝ＫＧは、孔ＨＬの間に配置される。
【０００９】
外筒部材ＯＴを成形する場合において、光軸直交方向にスライドする型を用いる。このようなスライド型を用いる理由を説明する。まず、外筒部材ＯＴに設ける孔ＨＬの軸線は光軸に精度良く直交するよう形成される必要があるが、光軸方向にスライドさせる型構成では、そもそも軸線が光軸方向に直交する孔ＨＬを形成することができない。又、キー溝ＫＧを形成するに当たっても、光軸方向にスライドさせる型構成では、キー溝ＫＧに抜きテーパが必要になり，これに起因して回転規制する際にガタが発生し，位置決め精度が悪くなって光学性能の劣化を招く。そこで、光軸方向に抜きテーパを持たないキー溝ＫＧを精度良く形成するために、光軸直交方向へスライドする抜き型が必要になる。ここで、外筒部材ＯＴを成形する際に、キー溝ＫＧと孔ＨＬを内スライド型のみで成形しようとすると、図１に示すように１２分割された内スライド型ＩＳＭが必要になる。図１に示す型の動作を説明すると、最初にキー溝ＫＧを形成するための６個の内スライド型ＩＳＭ(ａ)が中心に向かって内側に入り、次いで、その外側を覆うように孔ＨＬを形成するための６個の内スライド型ＩＳＭ（ｂ）が中心に向かって内側にスライドする。従って、図１のように分割数を増やした内スライド型ＩＳＭを用いる場合、外筒部材ＯＴの内径が制限される中では，全ての型の厚みを薄くしないと内スライド型ＩＳＭ全てが中におさまりきらないという問題があり、また型を薄くすることにも限界がある。尚、図１では、内スライド型ＩＳＭ(ｂ)をハッチングで示し、また外筒部材ＯＴの外周を転写成形する外型は省略している。
【００１０】
一方、孔ＨＬが外筒部材ＯＴを貫通することを利用して、図２に示すように、キー溝ＫＧ及び孔ＨＬの座繰り部ＨＯ（高精度でなくて良い）とを、６分割された内スライド型ＩＳＭで成形し、孔ＨＬを、６分割された外スライド型ＯＳＭ（ハッチングで図示）で成形することもできる。しかしながら、６分割された外スライド型ＯＳＭで外筒部材ＯＴを成形すると、外周面に６本のパーティングラインが形成されてしまい、外観品質を損ねるという問題がある。
【００１１】
そこで、本発明では、前記キー溝内に前記カムピンを挿入する孔を形成することによって、前記キー溝に対応した型部品と前記孔に対応した型部品とを一体で設けてなる内スライド型を用いて、前記外筒部材を成形することとしたのである。かかる内スライド型は離型時にそれぞれ径方向に移動するが、このとき前記キー溝と前記孔を一度に精度良く成形できるから内スライド型の分割数を抑えることができる。但し、前記孔にカムピンを挿入した後に、そのままでは前記キー溝に前記内筒部材の突出部を係合させることができなくなる。これに対し本発明では、前記突出部に、前記カムピンが通過可能な切欠を設けることにより、前記カムピンに干渉することなく、前記突出部を前記キー溝に係合させることができるようにしたのである。
【００１２】
請求項２に記載のズームレンズ鏡胴は、
内周面に、キー溝を形成すると共に、カムピンを配置した外筒部材と、
前記外筒部材に内包され、前記カムピンが係合するカム溝を設けたカム筒部材と、
前記外筒部材に内包され、前記キー溝に係合する突出部を形成した内筒部材と、を有するズームレンズ鏡胴であって、
前記キー溝は、前記カムピンを挿入する孔と、前記外筒部材と前記内筒部材との組み付け時に、前記突出部が、前記孔に挿入された前記カムピンを回避して前記キー溝内に進入可能となっている回避部とを形成したことを特徴とする。
【００１３】
本発明によれば、前記キー溝内に前記カムピンを挿入する孔を形成することによって、前記キー溝に対応した型部品と前記孔に対応した型部品とを一体で設けてなる内スライド型を用いて、前記外筒部材を成形することとしたので、前記キー溝と前記孔を一度に精度良く成形できるから内スライド型の分割数を抑えることができる。又、前記外筒部材と前記内筒部材との組み付け時に、前記突出部が、前記孔に挿入された前記カムピンを回避して前記キー溝内に進入可能となっている回避部を、前記キー溝に形成したので、前記穴に挿入した前記カムピンに干渉することなく、これを回避して前記突出部を前記キー溝に係合させることができる。
【００１４】
請求項３に記載の撮像装置は、請求項１又は２に記載のズームレンズ鏡胴を有することを特徴とする。
【発明の効果】
【００１５】
本発明によれば、例えば直進キーを直進筒の内側に設ける事で，直進筒の外側に設けた場合に比べ、直進筒の外側にある外固定筒をキーが掛かる部分まで延長する必要が無くなることから、レンズ鏡胴の小型化を図りつつも、簡素な金型で成形でき、高い外観品質を備えた外筒部材を有する優れたズームレンズ鏡胴及びそれを用いた撮像装置を提供することができる。
【図面の簡単な説明】
【００１６】
【図１】スライド型の一例を示す図である。
【図２】スライド型の別例を示す図である。
【図３】本実施の形態に係るズームレンズ鏡胴を備えた撮像装置の一例であるデジタルカメラの外観図である。
【図４】第１の実施の形態にかかるズームレンズ鏡胴１００の斜視図である。
【図５】固定筒１０２と直進筒１０４の斜視図である。
【図６】直進筒１０４の直線溝を光軸側から光軸直交方向に見た図である。
【図７】第２の実施の形態にかかる固定筒１０２と直進筒１０４の一部を示す光軸直交方向断面図である。
【図８】カム筒１０３の外周を展開して示す図である。
【発明を実施するための形態】
【００１７】
以下、本発明の実施の形態を、図面を参照して説明する。図３は、本実施の形態に係るズームレンズ鏡胴を備えた撮像装置の一例であるデジタルカメラの外観図である。図３（ａ）は、デジタルカメラ１の前面図であり、図３（ｂ）は背面図である。
【００１８】
図３に示す様に、デジタルカメラ１は、ズームレンズ鏡胴と撮像素子を有する撮像部２、及び、カメラ本体部３よりなる。
【００１９】
撮像部２は、ズーム動作可能なズームレンズ鏡胴及びＣＣＤ等の固体撮像素子からなり、ズームレンズ鏡胴を介して結像された被写体像を固体撮像素子で画像信号に変換できる。
【００２０】
カメラ本体部３は、ＬＣＤ（Ｌｉｑｕｉｄ Ｃｒｙｓｔａｌ Ｄｉｓｐｌａｙ；液晶表示素子）からなるＬＣＤ表示部６、ＥＶＦ（Ｅｌｅｃｔｒｏｎｉｃ Ｖｉｅｗ Ｆｉｎｄｅｒ；電子ビューファインダ）７、デジタルカメラ１を図示しないパーソナルコンピュータに接続する外部接続端子を有しており、撮像部２で取り込まれた画像信号に所定の信号処理を施し、ＬＣＤ表示部６やＥＶＦ７への画像表示、不図示のメモリカードなどの記録媒体への画像記録、あるいはパーソナルコンピュータへの画像の転送といった処理を行う。
【００２１】
カメラ本体部３の前面には、上部適所にフラッシュ発光部４が設けられている。また、カメラ本体部３の背面には撮影画像の表示や記録画像の再生表示を行うＬＣＤ表示部６とＥＶＦ７が設けられている。
【００２２】
カメラ本体部３の上面には、シャッタボタン５と、シャッタボタン５の近くに「記録モード」と「再生モード」とを切換設定する、不図示の撮影モード切換スイッチが設けられている。記録モードは、撮影待機状態から露光制御のプロセスを経て撮影にいたる写真撮影を行うモードであり、再生モードは、メモリカードに記録された撮影画像をＬＣＤ表示部６やＥＶＦ７に再生表示するモードである。
【００２３】
カメラ本体部３の背面には、再生画像のコマ送りや、撮影時にズーム操作を行うための再生コマ送りスイッチ／ズームスイッチ９が設けられている。再生コマ送りスイッチ／ズームスイッチ９における再生画像のコマ送りとは、カメラを再生モードに設定しメモリカード１３に記録された画像をコマ番号とともにＬＣＤ表示部６に順次表示する様にしたものである。なお、ＬＣＤ表示部６への画像表示を昇順方向（撮影順の方向）若しくは降順方向（撮影順と逆の方向）に変更指示することも可能である。また、撮影時のズーム操作は、再生コマ送りスイッチ／ズームスイッチ９を操作することにより、ズームレンズである撮像光学系をテレ方向若しくはワイド方向に変倍させる。
【００２４】
さらに、カメラ本体部３の背面には、画像表示を行うためのＬＣＤ表示部６とＥＶＦ７とを選択するＥＶＦ切換スイッチ８が設けられている。
【００２５】
また、カメラ本体部３の底面内部には、デジタルカメラ１の動作用電源としての電池（図示せず）が設けられている。
【００２６】
図４は、本実施の形態にかかるズームレンズ鏡胴１００の光軸方向断面図である。本実施の形態にかかるズームレンズ鏡胴１００を、５群構成のズームレンズを例にして説明する。ズームレンズ鏡胴１００は、物体側から順に，レンズＬ１，Ｌ２，Ｌ３からなる第１レンズ群Ｇ１と、レンズＬ４，Ｌ５，Ｌ６，Ｌ７からなる第２レンズ群Ｇ２と、可変絞り羽根ＢＲを有するシャッタ装置ＳＨ、固定レンズＬ８，Ｌ９，Ｌ１０及び調整レンズＬ１１，Ｌ１２からなる第３レンズ群Ｇ３と、レンズＬ１３からなる第４レンズ群Ｇ４と、レンズＬ１４からなる第５レンズ群Ｇ５とから構成されている。本実施の形態では、第５レンズ群Ｇ５が固定されており、第１レンズ群Ｇ１、第２レンズ群Ｇ２、第３レンズ群Ｇ３、第４レンズ群Ｇ４は、互いの群間距離を変化させながら光軸ＯＡの方向に移動してズーミングを行うようになっている。また、第４レンズ群Ｇ４は独立して光軸ＯＡの方向に移動してフォーカシングも行うようになっている。第３レンズ群Ｇ３の一部となるシャッタ装置ＳＨは、可変絞り羽根ＢＲを駆動することで、任意の開口径の絞りを形成できるようになっている。
【００２７】
図４を参照して、カメラ本体部３に固定される地板１０１は、中央に円筒部１０１ａを形成しており、その内周に第５レンズ群Ｇ５を保持している。レンズ群Ｇ１〜Ｇ５を通過し、円筒部１０１ａ内を通過した被写体光は、カメラ本体部３に取り付けられた固体撮像素子の撮像面に結像されるようになっている。
【００２８】
地板１０１の物体側に、固定筒（内筒部材）１０２の端部が同軸に固定されている。固定筒１０２の周囲には、回転可能にカム筒（カム筒部材）１０３が取り付けられており、物体側端部近傍に形成された円周溝１０３ａに、それに対応して固定筒１０２に形成された突起１０２ａが係合しており、これによりカム筒１０３は固定筒１０２に対して光軸方向移動が規制され、回転のみ可能となっている。カム筒１０３の像側端外周には、ギヤ１０３ｂが形成されており、不図示のモータのピニオンが噛合している。
【００２９】
固定筒１０２の物体側端外周には、６等配された突出部１０２ｂ（図５参照）が径方向外方に突出するように形成されている。一方、カム筒１０３の周囲に配置された直進筒（外筒部材）１０４の内周には，光軸ＯＡ方向に延在するように６等配された直線溝１０４ａ（詳細は後述）が形成されており、ここに固定筒１０２の外周から突出した６つの突出部１０２ｂがそれぞれ係合している。ここでは、１組の直線溝１０４ａと突出部１０２ｂのみが隙間なく係合しており、これにより直進筒１０４が、固定筒１０２により回転を規制され、光軸方向にのみ精度良く移動可能となっている。一方、残りの５組の直線溝１０４ａと突出部１０２ｂとは、組み付けた状態で周方向に隙間を持っていて、落下衝撃が生じた際の部材変形により互いに当接することで衝撃力を緩和するようになっている。直進筒１０４の物体側端部には、ドーナッツ板状の遮光板１０６が固定されており、また遮光板１０６に隣接して、第１レンズ群Ｇ１を保持する第１ホルダ１０５が、ねじＢＴを用いて取り付けられている。
【００３０】
カム筒１０３の外周には、第１カム溝１０３ｃが形成されており、ここに直進筒１０４の像側端近傍内周に設けられた第１カムフォロワ１０４ｂが係合している。又、カム筒１０３の内周には、２Ａカム溝１０３ｄ、２Ｂカム溝１０３ｈが形成され、これらに対応して、第２レンズ群Ｇ２を保持する第２ホルダ１０７の外周に、２Ａカムフォロワ１０７ａ、２Ｂカムフォロワ１０７ｄが設けられている。
【００３１】
第２カムフォロワ１０７ａは、その内方端が第２ホルダ１０７に形成された孔１０７ｂ内に挿入されており、孔１０７ｂ内に配置されたバネ部材１０７ｃにより径方向外側に押し出されるように付勢されている。一方、２Ｂカムフォロワ１０７ｄは、孔１０７ｂに対して光軸方向に離間して第２ホルダ１０７に形成された孔１０７ｅ内に固定配置されている。２Ａカム溝１０３ｄに対して、２Ａカムフォロワ１０７ａが係合しているが、２Ｂカム溝１０３ｈに対して、２Ｂカムフォロワ１０７ｄは、隙間を開けた状態で進入している。第４レンズ群Ｇ４は、第４ホルダ１０９により保持されている。尚、第２ホルダ１０７，第４ホルダ１０９は、図３では不図示のガイドシャフトにより回転を規制されて、光軸方向に案内されて移動可能となっている。
【００３２】
３Ａカムフォロワ１０８ａは、その内方端が第３ホルダ１０８に形成した孔１０８ｂ内に挿入されており、孔１０８ｂ内に配置されたバネ部材１０８ｈにより、３Ａカムフォロワ１０８ａが径方向外側に押し出されるように付勢されている。一方、３Ｂカムフォロワ１０８ｎは、孔１０８ｂに対して光軸方向に離間して第３ホルダ１０８に形成された孔１０８ｑ内に固定配置されている。更に、３Ｃカムフォロワ１０８ｍは、孔１０８ｂに対して周方向に離間して第３ホルダ１０８に形成された孔１０８ｐ内に固定配置されている。３Ａカムフォロワ１０８ａ及び３Ｂカムフォロワ１０８ｎは、固定筒１０２の周壁に形成された光軸方向に長いスリット１０２ｃを通過して３Ａカム溝１０３ｅ及び３Ｂカム溝１０３ｇに係合し、３Ｃカムフォロワ１０８ｍは、固定筒１０２の周壁に形成された光軸方向に長いスリット１０２ｄを通過して３Ｃカム溝１０３ｆに係合している。
【００３３】
第３ホルダ１０８は、固定レンズＬ８，Ｌ９，Ｌ１０を保持する円筒部１０８ｄと、円筒部１０８ｄから径方向に延在するフランジ部１０８ｆとから一体的に形成されている。フランジ部１０８ｆの像側面と、移動レンズＬ１１，Ｌ１２を保持する第５ホルダ１１８のフランジ面１１８ａとの間には、像ぶれ補正ユニットＵＴが設けられている。像ぶれ補正ユニットＵＴは、撮像時の手ブレに応じて、可動レンズＬ１１，Ｌ１２を保持する第５ホルダ１１８を光軸直交方向に移動させ、像ぶれを補正する機能を有する。
【００３４】
本実施の形態のズーム動作及びフォーカシング動作について説明する。不図示のモータを駆動させることで、カム筒１０３が回転すると、第１カム溝１０３ｃに沿って第１カムフォロワ１０４ｂが摺動し、その際に受ける押圧力により直進筒１０４は第１ホルダ１０５と共に光軸方向に移動するようになっている。又、カム筒１０３が回転すると、第２カム溝１０３ｄに沿って２Ａカムフォロワ１０７ａが摺動し、その際に受ける押圧力により第２ホルダ１０７が光軸方向に移動するようになっている。但し、２Ｂカム溝１０３ｈに対して、２Ｂカムフォロワ１０７ｄは当接することなく、それぞれカム溝に沿って移動する。
【００３５】
更に、カム筒１０３が回転すると、３Ａカム溝１０３ｅに沿って３Ａカムフォロワ１０８ａが摺動し、その際に受ける押圧力により第３ホルダ１０８が光軸方向に移動するようになっている。但し、３Ｂカム溝１０３ｆ、３Ｃカム溝１０３ｇに対して、３Ｂカムフォロワ１０８ｍ、３Ｃカムフォロワ１０８ｎは当接することなく、それぞれカム溝に沿って移動する。シャッタ装置ＳＨと、調整レンズＬ１１，Ｌ１２を保持する第５ホルダ１１８は、第３ホルダ１０８に連結されているので、これらは一体的に光軸方向に移動する。
【００３６】
更に、不図示のアクチュエータにより第４ホルダ１０９が第４レンズ群Ｇ４と共に光軸方向に移動して、ズーム移動又はフォーカシングを行うようになっている。
【００３７】
次に、固定筒１０２と直進筒１０４の組み付け態様について説明する。図５は、固定筒１０２と直進筒１０４の斜視図であり、図６は、直進筒１０４の直線溝を光軸側から光軸直交方向に見た図である。
【００３８】
図５において、キー溝である６本の直線溝１０４ａは、直線部１０４ｅと、直進筒１０４の端部に露出した幅広部（回避部）１０４ｆとを有する。幅広部１０４ｆには、カムフォロワ（カムピン）１０４ｂの挿入端を挿入するための貫通孔１０４ｇが形成されている。従って、直進筒１０４は６分割された内スライド型（不図示）を用いて成形することができる。
【００３９】
固定筒１０２と直進筒１０４の組み付ける際には、孔１０４ｇにカムフォロワ１０４ｂの挿入端をそれぞれ挿入した上で、図５に示すように、固定筒１０２と直進筒１０４の軸線を合わせて、両者を接近させる。この際に、固定筒１０２の突出部１０２ｂを、直進筒１０４の端部に露出した幅広部１０４ｆに係合させるが、図６（ａ）に示すように、突出部１０２ｂがカムフォロワ１０４ｂに対してシフトして、お互いに干渉しない位置とする。
【００４０】
突出部１０２ｂがカムフォロワ１０４ｂを回避して、それよりも光軸方向内側に到達した時点で、図６（ｂ）の矢印に示すように、固定筒１０２と直進筒１０４を相対的に回転させると、突出部１０２ｂがカムフォロワ１０４ｂよりも光軸方向内側に位置したまま、直線部１０４ｅの端に移動するようになる。かかる状態から、固定筒１０２と直進筒１０４を相対的に光軸方向移動させることで、図６（ｃ）に示すように、突出部１０２ｂが直線部１０４ｅ内に進入する。これにより固定筒１０２と直進筒１０４とを組み付けることができる。尚、図６(ｄ)は、カムフォロワ１０４ｂがカム溝１０３ｃに係合した後の状態である。
【００４１】
次に、第２の実施の形態について説明する。図７は、固定筒１０２と直進筒１０４の一部を示す光軸直交方向断面図である。図７に示すように、本実施の形態では直線溝１０４ａ及び突出部１０２ｂを幅広とし、更に突出部１０２ｂの中央に、幅Ｗの切欠１０２ｅを形成している。全体にわたって幅が一様である直線溝１０４ａの底に、カムフォロワ（カムピン）１０４ｂの挿入端を挿入するための貫通孔１０４ｇが形成されている。カムフォロワ１０４ｂの最大径はφであり、Ｗ＞φであるものとする。
【００４２】
本実施の形態によれば、直線溝１０４ａの底に、貫通孔１０４ｇが形成されているので、直進筒１０４を少ない数で分割された内スライド型（図２参照）を用いて成形することができる。
【００４３】
組み付け時には、貫通孔１０４ｇにカムフォロワ１０４ｂの挿入端を挿入した後にも、直線溝１０４ａに突出部１０２ｂを合わせて、固定筒１０２と直進筒１０４を嵌合させると、カムフォロワ１０４ｂが切欠１０２ｅ内を通過することで、直線溝１０４ａに突出部１０２ｂが係合するようになっている。これにより固定筒１０２と直進筒１０４とを組み付けることができる。
【００４４】
尚、図８(ａ)〜(ｄ)は、カム筒１０３の外周を展開して示す図であるが、図６(ａ)〜(ｄ)に示す組み付け態様に準じて、カム溝１０３ｃとカムフォロワ１０４ｂの相対位置を順に示している。ここで、図８に示すように、カム筒１０３の端面に近いカム溝１０３ｃの端部をクランク形状とすると、カムフォロワ１０４ｂを通過した後に戻すようにすることで、カムフォロワ１０４ｂが直線溝１０４ａの上にあってもカム筒１０３と直進筒１０４の組み付けが可能になる。図８（ｄ）が、カム溝１０３ｃとカムフォロワ１０４ｂがズーム可能に係合した状態を示している。
【００４５】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。例えば、上述の実施の形態においては、５群構成のズームレンズで説明したが、５群構成に限るものでなく、例えば４群構成であっても良い。
【符号の説明】
【００４６】
１            デジタルカメラ
２            撮像部
３            カメラ本体部
４            フラッシュ発光部
５            シャッタボタン
６            表示部
８            切換スイッチ
９            ズームスイッチ
１３            メモリカード
１００            ズームレンズ鏡胴
１０１            地板
１０１ａ          円筒部
１０２            固定筒
１０２ｂ          突出部
１０２ｃ          スリット
１０２ｄ          スリット
１０２ｅ          切欠
１０３            カム筒
１０３ａ          円周溝
１０３ｂ          ギヤ
１０３ｃ          第１カム溝
１０３ｄ          ２Ａカム溝
１０３ｅ          ３Ａカム溝
１０３ｆ          ３Ｂカム溝
１０３ｇ          ３Ｃカム溝
１０３ｈ          ２Ｂカム溝
１０４            直進筒
１０４ａ          直線溝
１０４ｂ          カムフォロワ
１０４ｅ          直線部
１０４ｆ          幅広部
１０４ｇ          貫通孔
１０５            第１ホルダ
１０６            遮光板
１０７            第２ホルダ
１０７ａ          ２Ａカムフォロワ
１０７ｂ          孔
１０７ｃ          バネ部材
１０７ｄ          ２Ｂカムフォロワ
１０７ｅ          孔
１０８            第３ホルダ
１０８ａ          ３Ａカムフォロワ
１０８ｂ          孔
１０８ｄ          円筒部
１０８ｆ          フランジ部
１０８ｈ          バネ部材
１０８ｍ          ３Ｃカムフォロワ
１０８ｎ          ３Ｂカムフォロワ
１０８ｐ          孔
１０８ｑ          孔
１０９            第４ホルダ
１１８            第５ホルダ
ＢＲ            羽根
Ｇ１-Ｇ５        レンズ群
ＨＬ            孔
ＨＯ            座繰り部
ＩＳＭ            内スライド型
ＫＧ            キー溝
Ｌ１−Ｌ１０        レンズ
ＯＡ            光軸
ＯＳＭ            外スライド型
ＯＴ            外筒部材
ＳＨ            シャッタ装置
ＵＴ            ぶれ補正ユニット
【図１】
2016133580.tif 000003
【図２】
2016133580.tif 000004
【図３】
2016133580.tif 000005
【図４】
2016133580.tif 000006
【図５】
2016133580.tif 000007
【図６】
2016133580.tif 000008
【図７】
2016133580.tif 000009
【図８】
2016133580.tif 000010